(57)【要約】【課題】  医療用超音波処置装置の種類を特定せずに着脱可能な医療機器用スイッチ装着システムを提供する。【解決手段】  医療機器用スイッチ装着システム３０は、ユーザに把持されて使用されるハンドピース１０に着脱可能に装着されるアダプタ３２と、このアダプタ３２に着脱可能に装着され、ハンドピース１０がユーザに把持された状態でユーザの手が届く位置に配設されてその動作を切り替えるハンドスイッチユニット３４とを備えている。そして、アダプタ３２は、ハンドスイッチユニット３４が装着される共通の固定台座５２と、ハンドピース１０に合わせて形成されたフック６２ａ，６２ｂとを備えている。【選択図】    図１
2006340839.tif 000002
【特許請求の範囲】
【請求項１】
電源に接続され、超音波振動子を有するハンドピースに着脱可能に装着されるアダプタと、
電源に接続され、前記超音波振動子に超音波振動を発生させるように電源から電気信号を出力させるスイッチと、
前記スイッチに設けられ、前記アダプタに着脱可能に装着されるスイッチ固定部と、
前記アダプタに設けられ、前記スイッチ固定部が装着されるアダプタ固定部と
を具備することを特徴とする超音波処置用スイッチ装置。
【請求項２】
前記アダプタは、２つのアダプタ固定部を略対称に備えていることを特徴とする請求項１に記載の超音波処置用スイッチ装置。
【請求項３】
前記スイッチには、術者の指にて押圧可能で超音波振動子に超音波振動を発生させるように電源から電気信号を出力させるボタンが配設され、
前記アダプタには、術者の人指し指で前記ボタンを押圧するように術者の人指し指以外の指を引っ掛ける引っ掛け部が配設されていることを特徴とする請求項１に記載のスイッチ装置。
【請求項４】
電源に接続され、超音波振動子を有する第１のハンドピースに着脱可能に装着される第１のアダプタと、
電源に接続され、超音波振動子を有する第２のハンドピースに着脱可能に装着される第２のアダプタと、
電源に接続され、前記超音波振動子に超音波振動を発生させるように電源から電気信号を出力させるスイッチと、
前記スイッチに設けられ、前記第１および第２のアダプタに着脱可能に装着されるスイッチ固定部と、
前記第１のアダプタに設けられ、前記スイッチ固定部が装着される第１のアダプタ固定部と、
前記第２のアダプタに設けられ、前記第１のアダプタ固定部と略同形状を有して前記スイッチ固定部が装着される第２のアダプタ固定部と
を具備することを特徴とする超音波処置用スイッチ装置。
【請求項５】
ユーザに把持されて使用される医療機器に着脱可能に装着されるアダプタと、
このアダプタに着脱可能に装着され、前記医療機器がユーザに把持された状態でユーザの手が届く位置に配設されてその動作を切り替えるハンドスイッチと
を具備し、
前記アダプタは、
前記ハンドスイッチが装着される共通の固定台座と、
前記医療機器に合わせて形成された医療機器着脱部と
を備えていることを特徴とする医療機器用スイッチ装着システム。
【発明の詳細な説明】
【技術分野】
【０００１】
本発明は、超音波処置装置に配設されて手により操作される超音波処置用スイッチ装置および医療機器用スイッチ装着システムに関する。
【背景技術】
【０００２】
例えば特許文献１には、高周波焼灼装置用のハンドスイッチが開示されている。このハンドスイッチは、プローブの先端に高周波電流を通電して組織の高周波切開および高周波凝固を行なうために高周波電源本体から延長する通電コードを接続可能なコード接続部を有し、高周波切開および高周波凝固を切り替え可能である。このようなハンドスイッチは、超音波吸引装置のシースに対して樹脂材の弾性力により着脱可能に配置されている。
【特許文献１】特開２００３−７０８００号公報
【発明の開示】
【発明が解決しようとする課題】
【０００３】
特許文献１に記載のハンドスイッチは超音波吸引装置のシースに着脱自在ではあるが、この装置だけというように、特定の装置にしか接続することができない。このため、使用する機種ごとにハンドスイッチが必要である。
【０００４】
この発明は、このような課題を解決するためになされたものであり、その目的とするところは、医療用超音波処置装置の種類を特定せずに着脱可能な超音波処置用スイッチ装置および医療機器用スイッチ装着システムを提供することにある。
【課題を解決するための手段】
【０００５】
上記課題を解決するために、この発明に係る超音波処置用スイッチ装置は、電源に接続され、超音波振動子を有するハンドピースに着脱可能に装着されるアダプタと、電源に接続され、前記超音波振動子に超音波振動を発生させるように電源から電気信号を出力させるスイッチと、前記スイッチに設けられ、前記アダプタに着脱可能に装着されるスイッチ固定部と、前記アダプタに設けられ、前記スイッチ固定部が装着されるアダプタ固定部とを具備することを特徴とする。  
このため、アダプタ固定部をスイッチ固定部が装着される形状にしておけば、ハンドピースの形状や種類に関係なくスイッチを装着することができる。
【０００６】
また、前記アダプタは、２つのアダプタ固定部を略対称に備えていることが好適である。  
このため、ユーザが右手でハンドピースを把持するか、左手で把持するかに関係なく、スイッチを装着することができるので、操作性を大きく向上させることができる。
【０００７】
また、前記スイッチには、術者の指にて押圧可能で超音波振動子に超音波振動を発生させるように電源から電気信号を出力させるボタンが配設され、前記アダプタには、術者の人指し指で前記ボタンを押圧するように術者の人指し指以外の指を引っ掛ける引っ掛け部が配設されていることが好適である。  
このため、スイッチはボタンを操作することによって切り替えられるが、その際にユーザ（術者）の指を引っ掛ける引っ掛け部をアダプタに設けたので、容易に操作することができる。
【０００８】
また、上記課題を解決するために、この発明に係る超音波処置用スイッチ装置は、電源に接続され、超音波振動子を有する第１のハンドピースに着脱可能に装着される第１のアダプタと、電源に接続され、超音波振動子を有する第２のハンドピースに着脱可能に装着される第２のアダプタと、電源に接続され、前記超音波振動子に超音波振動を発生させるように電源から電気信号を出力させるスイッチと、前記スイッチに設けられ、前記第１および第２のアダプタに着脱可能に装着されるスイッチ固定部と、前記第１のアダプタに設けられ、前記スイッチ固定部が装着される第１のアダプタ固定部と、前記第２のアダプタに設けられ、前記第１のアダプタ固定部と略同形状を有して前記スイッチ固定部が装着される第２のアダプタ固定部とを具備することを特徴とする。  
このため、第１のハンドピースには第１のアダプタが装着され、第１のハンドピースと異なる第２のハンドピースには第１のアダプタと異なる第２のアダプタが装着されるが、第１のアダプタ固定部と第２のアダプタ固定部とは略同形状を有しているので、スイッチ固定部を第１および第２のアダプタ固定部に共通して装着することができる。
【０００９】
また、上記課題を解決するために、この発明に係る医療機器用スイッチ装着システムは、ユーザに把持されて使用される医療機器に着脱可能に装着されるアダプタと、このアダプタに着脱可能に装着され、前記医療機器がユーザに把持された状態でユーザの手が届く位置に配設されてその動作を切り替えるハンドスイッチとを具備し、前記アダプタは、前記ハンドスイッチが装着される共通の固定台座と、前記医療機器に合わせて形成された医療機器着脱部とを備えていることを特徴とする。  
このため、アダプタは医療機器の種類ごとにあっても、固定台座が共通しているので、ハンドスイッチを共通して使用することができる。
【発明の効果】
【００１０】
本発明によれば、医療用超音波処置装置の種類を特定せずに着脱可能な超音波処置用スイッチ装置および医療機器用スイッチ装着システムを提供することができる。
【発明を実施するための最良の形態】
【００１１】
以下、図面を参照しながらこの発明を実施するための最良の形態（以下、実施の形態という）について説明する。
【００１２】
第１の実施の形態について図１ないし図５を用いて説明する。
【００１３】
図１に示す医療用超音波ハンドピース（医療機器）１０は、電源本体から供給された電力を超音波振動子１６によって超音波振動（振動エネルギ）に変換する。そして、超音波振動子１６で発生させた超音波振動をその超音波振動子１６に基端が接続されたプローブ１６ａの基端から先端に向かって振動エネルギを増幅しつつ伝達する。
【００１４】
図１に示すように、医療用超音波ハンドピース１０は、ハンドル部１２と、このハンドル部１２から先端側に延出された挿入部１４と、ハンドル部１２の基端部に装着された超音波振動子１６とを備えている。挿入部１４は、ハンドル部１２の操作によって開閉可能な開閉部（ジョー）１４ａを先端部に備えている。このため、超音波振動子１６に基端で接続されたプローブ１６ａの先端と開閉部１４ａとの間に処置対象物を挟み込んだ状態でプローブ１６ａに超音波振動を供給すると、処置対象物に対して超音波処置が行なわれる。
【００１５】
ハンドル部１２は、固定ハンドル２４を有する操作本体２２と、この操作本体２２に枢支され、固定ハンドル２４に対して開閉可能な可動ハンドル２６とを備えている。固定ハンドル２４は、挿入部１４の軸方向に対して略直交する方向に形成されている。このため、この医療用超音波ハンドピース１０は、略ピストル型に形成されている。そして、開閉部１４ａは、固定ハンドル２４に対する可動ハンドル２６の操作に連動して開閉される。なお、固定ハンドル２４および可動ハンドル２６には、それぞれ指掛部２４ａ，２６ａが形成されている。可動ハンドル２６の指掛部２６ａにはユーザの右手や左手の親指が入れられる。固定ハンドル２４の指掛部２４ａにはユーザの右手や左手の人差し指、中指等が入れられる。
【００１６】
固定ハンドル２４には、超音波処置用スイッチ装置（医療機器用スイッチ装着システム，超音波処置装置用ハンドスイッチ装置）３０が配設されている。このスイッチ装置３０は、固定ハンドル２４に着脱可能に装着された固定ハンドル用アダプタ（スイッチユニットアダプタ）３２と、このアダプタ３２に着脱可能に装着されたスイッチユニット（ハンドスイッチ）３４とを備えている。アダプタ３２は、ハンドピース１０とスイッチユニット３４とを指定の範囲内で固定する。スイッチユニット３４は、電源本体からの信号を検知して超音波出力のＯＮ／ＯＦＦを制御する。
【００１７】
図２（Ａ）および図２（Ｂ）に示すように、スイッチユニット３４は、例えば扁平で細長などの略箱型のスイッチ本体４２と、このスイッチ本体４２に配設された押しボタン４４ａ，４４ｂと、スイッチ本体４２から延出されたケーブル４６と、スイッチ本体４２に配設され、固定ハンドル用アダプタ３２に嵌合可能な固定用爪（スイッチ固定部）４８とを備えている。なお、ケーブル４６は、超音波振動子１６と同様に図示しない電源本体に接続されている。このため、ケーブル４６は、電源本体と電気的に接続された信号線をスイッチ本体４２の内部に連絡させている。
【００１８】
押しボタン４４ａ，４４ｂは、スイッチ本体４２の一側面に並設されている。これら押しボタン４４ａ，４４ｂのうち、一方の押しボタン４４ａは、例えば電源本体（図示せず）からの検知電流をＯＮ／ＯＦＦすることにより超音波振動子１６からの超音波出力のＯＮ／ＯＦＦを制御する。ここでは、押しボタン４４ａを例えば押圧しているときには超音波出力がＯＮの状態にあり、押圧を解除している（離している）ときには超音波出力がＯＦＦの状態にある。他方の押しボタン４４ｂは、超音波振動子１６からの出力の大きさの切り替えを行なったり、ここでは図示しないが、ハンドピース１０によりプローブ１６ａの側方から入力可能な高周波出力のＯＮ／ＯＦＦの切り替えを行なったりする。このため、これら押しボタン４４ａ，４４ｂを押したり離したりすることによって、超音波振動子１６などに電流を流したり遮断したりすることができる。
【００１９】
固定用爪４８は、本体４２の底面４２ａに複数形成されている。これら固定用爪４８は、底面４２ａの一端および他端にフランジ状に形成されている。これら固定用爪４８は、アダプタ３２の後述する固定用突起５４と嵌合してスイッチユニット３４を固定ハンドル用アダプタ３２に対して位置決めするのに用いられている。
【００２０】
図３に示すように、スイッチユニット３４の押しボタン４４ａ，４４ｂは、タクトスイッチ７２と、カバー固定フタ７４とを備えている。カバー固定フタ７４は、本体４２の表面に配設され、タクトスイッチ７２を固定する。すなわち、このカバー固定フタ７４は、後述するゴムカバー８０を本体４２に固定する。
【００２１】
タクトスイッチ７２は、操作ピン７６と、パッキン７８と、ゴムカバー８０と、支持台８２と、板材８４と、バネ８６と、接点８８とを備えている。  
スイッチ本体４２には、円筒状のボタン枠９２が形成されている。このボタン枠９２の中心軸には、貫通孔が形成されている。このボタン枠９２には、操作ピン７６が配設されている。操作ピン７６は、ボタン枠９２によって本体４２に対して直交する方向に移動可能に配設されている。この操作ピン７６は、本体４２に一端が配設され、操作ピン７６に他端が配設されたパッキン７８によって本体４２の外側に向かって付勢されている。すなわち、パッキン７８は、操作ピン７６と本体４２との水密を保ちつつ、押しボタン４４ａ，４４ｂを離すと、操作ピン７６を本体４２の外側に向かって押し付ける（付勢する）。このようなパッキン７８によって、押しボタン４４ａ，４４ｂの内部のスイッチ部組は水密や蒸気密を保つことができる。
【００２２】
ゴムカバー８０は、操作ピン７６およびボタン枠９２の外側に配設されている。このゴムカバー８０は、カバー固定フタ７４によって本体４２に固定されている。このため、このゴムカバー８０によって、操作ピン７６の内部が水密に保たれている。すなわち、ゴムカバー８０とパッキン７８とによって、操作ピン７６の内部が水密に保たれている。
【００２３】
なお、カバー固定フタ７４とゴムカバー８０との間には、隙間Ｃが形成されている。この隙間Ｃは、ゴムカバー８０をパッキン７８の付勢力に抗して操作ピン７６を押圧する際のゴム変形部分の逃げ部分である。このため、押しボタン４４ａ，４４ｂを押圧する際の操作性を良好に保つことができる。
【００２４】
また、この実施の形態では、押しボタン４４ａ，４４ｂは２つ設けられている。この場合、押しボタン４４ａ，４４ｂのそれぞれについて手触りや大きさなどを異ならせるなど、どちらのボタン４４ａ，４４ｂを操作しようとしているか、容易に認識可能であることが好適である。
【００２５】
支持台８２は、スイッチの土台となるものであり、基盤９４に固定されている。この基盤９４は、ケーブル４６内の信号線に電気的に接続されている。このため、この基盤９４は、電源本体と電気的に導通されている。この支持台８２は、接点８８を位置決めする。板材８４は、操作ピン７６が押圧されると押し下げられて接点８８と接触する。そうすると、接点８８が基盤９４に対して電気的に導通する。
【００２６】
バネ８６は、板材８４を常に本体４２の内周面に当接するように付勢する。押しボタン４４ａ，４４ｂをパッキン７８の付勢力に抗して押圧しない状態とすると、必ず接点８８と板材８４とが離されている。接点８８は、板材８４が接することにより電気的に導通される。
【００２７】
図４（Ａ）および図４（Ｂ）に示すように、固定ハンドル装着用アダプタ３２は、スイッチ本体４２を位置決めするプラスチック材製のスイッチユニット固定台座（アダプタ固定部）５２を備えている。図５に示すように、この固定台座５２の一側は、スイッチユニット３４を装着するために用いられている。図１に示すように、この固定台座５２の他側は、ハンドピース１０の固定ハンドル２４に装着するために用いられている。
【００２８】
図４（Ａ）および図５に示すように、固定台座５２には、固定用突起５４と、スイッチユニット固定用ゴム部材５６とが形成されている。固定用突起５４は、スイッチ本体４２のスイッチユニット固定用爪４８が嵌合される。また、固定用ゴム部材５６は、図５に示すように、固定用突起５４と固定用爪４８とをゴムの弾性力で押し付け合うように配置する。このため、アダプタ３２の固定用ゴム部材５６は、スイッチユニット３４の本体４２の底面４２ａとの間の摩擦力を利用して、使用中にスイッチユニット３４がアダプタ３２に対して摺動することを規制する。なお、スイッチユニット３４と固定ハンドル装着用アダプタ３２とは、固定用爪４８と固定用突起５４とが嵌合された際に固定用突起５４の内側に固定用爪４８が配設される。
【００２９】
図４（Ｂ）に示すように、固定台座５２の他側には、固定ハンドル２４に固定するための固定用フック（医療機器着脱部）６２ａ，６２ｂと、操作用指入部（引っ掛け部）６４とが固定ハンドル２４を挟持するように固定ハンドル２４に合わせられた状態でそれぞれ１対に形成されている。
【００３０】
固定用フック６２ａは固定台座５２の裏面の上端部に形成されている。これら固定用フック６２ａは、互いに対向するように形成されている。さらに、この固定台座５２の裏面の下端部には、固定用フック６２ｂが形成されている。これら固定用フック６２ｂは、上述した固定用フック６２ａと同様に互いに対向するように形成されている。このため、固定用フック６２ａ，６２ｂは、ハンドピース１０の固定ハンドル２４にアダプタ３２を組み付ける際にプラスチック材料による弾性によって嵌め込んで固定する。
【００３１】
さらに、固定用フック６２ｂの下端部には、操作用指入部６４が形成されている。これら指入部６４には、ユーザの薬指や小指などが入れられて使用される。これら操作用指入部６４は、固定ハンドル２４を取り付けた際にハンドピース１０の把持の自由度を増大させる。すなわち、ユーザによって、ハンドル部１２およびアダプタ３２の把持の仕方が選択される。
【００３２】
次に、この実施の形態に係る超音波処置用スイッチ装置３０の作用について説明する。
【００３３】
スイッチユニット３４を固定ハンドル装着用アダプタ３２に装着する。このとき、アダプタ３２の固定台座５２に対して、スイッチユニット３４の本体４２の底面４２ａをスライドさせる。そうすると、本体４２の底面４２ａの固定用爪４８と、アダプタ３２の固定台座５２の固定用突起５４とが係合される。このため、アダプタ３２の固定用ゴム部材５６と、本体４２の底面４２ａとが機械的に押し付けられて固定される。すなわち、アダプタ３２にスイッチユニット３４が装着される。
【００３４】
そして、スイッチユニット３４が装着された固定ハンドル装着用アダプタ３２をハンドピース１０の固定ハンドル２４に装着する。このとき、アダプタ３２の固定用フック６２ａ，６２ｂを固定ハンドル２４に係合する。このアダプタ３２には、固定ハンドル２４の指掛部２４ａの他に指を入れることが可能な操作用指入部６４が並設された状態に設置されているので、スイッチユニット３４の押しボタン４４ａ，４４ｂを右手もしくは左手の人差し指でより自由な状態で操作可能である。
【００３５】
以上説明したように、この実施の形態によれば以下の効果が得られる。
【００３６】
アダプタ３２の一部（一側）がスイッチユニット３４に着脱可能な同形状に形成されているので、アダプタ３２の他の一部（他側）をハンドピース１０などの形状に合わせて形成することによって、スイッチユニット３４を共通に使用することができる。すなわち、医療用超音波ハンドピース１０の種類を特定せずに、そのハンドピース１０に専用のアダプタ３２を用意すれば、押しボタン４４ａ，４４ｂを操作し易い超音波処置用スイッチ装置３０を提供することができる。
【００３７】
また、アダプタ３２に対して所定の範囲内でスイッチユニット３４を設置することができる。すなわち、スイッチユニット３４の押しボタン４４ａ，４４ｂを押し易い位置に設置することができる。このため、スイッチユニット３４、すなわち、押しボタン４４ａ，４４ｂの操作性を向上させることができる。また、操作時間（押圧時間）が長くとも適度な押し力量、押しストロークにより押しボタン４４ａ，４４ｂを疲労を溜め難く押し続けることが可能である。また、操作し易い位置に押しボタン４４ａ，４４ｂが配設されているので、プローブ１６ａや開閉部１４ａの先端の手ぶれを最小限度に抑えることができる。
【００３８】
なお、上述した実施の形態では、本体４２の底面４２ａの一端および他端にフランジ状のスイッチユニット固定用爪４８を設けたことについて説明したが、これら固定用爪４８は、図６（Ａ）および図６（Ｂ）に示すように突起状に形成されていることも好適である。この場合、固定用ゴム部材５６はすり割り状に形成されている。そうすると、固定用爪４８と固定用ゴム部材５６とが機械的に押し付けられた状態で固定される。
【００３９】
次に、第２の実施の形態について図７および図８を用いて説明する。この実施の形態は第１の実施の形態の変形例であって、第１の実施の形態で説明した部材と同一の部材には同一の符号を付し、詳しい説明を省略する。
【００４０】
図７に示すように、この実施の形態に係る医療用ハンドピース１０は、第１の実施の形態で説明した医療用ハンドピース１０（図１参照）と異なり、ハンドル部１２は、インライン型に形成されている。このハンドル部１２は、固定ハンドル１２４を有する操作本体１２２と、この操作本体１２２に枢支され、固定ハンドル１２４に対して開閉可能な可動ハンドル１２６とを備えている。固定ハンドル１２４は、挿入部１４の軸方向に沿って配設されている。このため、この医療用超音波ハンドピース１０は、挿入部１４の長軸に対して水平に開閉ノブが開く鋏形状のインライン型に形成されている。そして、開閉部１４ａは、固定ハンドル１２４に対する可動ハンドル１２６の操作に連動して開閉される。なお、固定ハンドル１２４および可動ハンドル１２６には、それぞれ指掛部１２４ａ，１２６ａが形成されている。可動ハンドル１２６の指掛部１２６ａにはユーザの右手や左手の親指が入れられる。固定ハンドル１２４の指掛部１２４ａにはユーザの右手や左手の人差し指、中指等が入れられる。
【００４１】
操作本体１２２には、操作本体１２２に着脱可能にインライン用アダプタ１３２が装着されている。図８（Ｂ）に示すように、インライン用アダプタ１３２は、スイッチ本体４２を位置決めする１対のスイッチユニット固定台座５２を備えている。固定台座５２が１対（２つ）あるのは、右利き、左利きどちらにでも対応可能とするためである。図８（Ａ）および図８（Ｂ）に示すように、これら固定台座５２には、第１の実施の形態で説明した固定台座５２（図５参照）と同様に固定用突起５４およびスイッチユニット固定用ゴム部材５６が形成されている。
【００４２】
固定用突起５４は、スイッチ本体４２のスイッチユニット固定用爪４８が嵌合される。また、固定用ゴム部材５６は、図５に示すように、固定用突起５４と固定用爪４８とをゴムの弾性力で押し付け合うように配置する。このため、アダプタ１３２の固定用ゴム部材５６は、スイッチユニット３４の本体４２の底面４２ａとの間の摩擦力を利用して、使用中にスイッチユニット３４がアダプタ１３２に対して摺動することを規制する。
【００４３】
図８（Ａ）および図８（Ｂ）に示すように、固定台座５２には、本体１２２に固定するための固定用フック（医療機器着脱部）１６２が形成されている。この固定用フック１６２は、アーム状に延出されている。このフック１６２は、本体１２２を保持するように形状が本体１２２の外周面よりも小さく形成されている。なお、固定用フック１６２の延出方向と固定台座５２の長手方向との間のなす角度は、９０度よりも小さく形成されている。
【００４４】
次に、この実施の形態に係る超音波処置用スイッチ装置３０の作用について説明する。
【００４５】
スイッチユニット３４、インライン用アダプタ１３２、インライン型ハンドピース１０を組み合わせる。  
アダプタ１３２の固定用フック１６２を本体１２２に装着する。この場合、フック１６２は、プラスチック材で形成されているので弾性変形して本体１２２に巻きつけて装着する。
【００４６】
このとき、スイッチユニット３４を手の平に収めるような位置関係で、かつ、押しボタン４４ａ，４４ｂを人指し指がより自由な状態で操作可能なように長軸方向に対してやや斜方向に傾斜させた状態で設置される。なお、スイッチユニット３４は２つのスイッチユニット固定台座５２を備えているので、可動ハンドル１２６の左側もしくは右側のどちらに配設することもできる。
【００４７】
以上説明したように、この実施の形態によれば以下の効果が得られる。
【００４８】
アダプタ１３２が固定台座５２を１対備えているので、ユーザの所望の側にスイッチユニット３４を配置することができる。このため、スイッチユニット３４の押しボタン４４ａ，４４ｂ等の操作性を向上させることができる。
【００４９】
次に、第３の実施の形態について図９および図１０を用いて説明する。この実施の形態は第１および第２の実施の形態の変形例であって、第１および第２の実施の形態で説明した部材と同一の部材には同一の符号を付し、詳しい説明を省略する。
【００５０】
図９に示すように、この実施の形態に係る擬ペンシル状の医療用ハンドピース１０は、第１および第２の実施の形態で説明した医療用ハンドピース１０（図１および図７参照）と異なり、ハンドル部１２は、フック型に形成されている。このハンドル部１２は、操作本体２２２を備えている。
【００５１】
操作本体２２２には、操作本体２２２に着脱可能にフック用アダプタ２３２が装着されている。図１０（Ａ）および図１０（Ｂ）に示すように、フック用アダプタ２３２は、スイッチ本体４２を位置決めするスイッチユニット固定台座５２を備えている。この固定台座５２には、第１および第２の実施の形態で説明した固定台座５２（図５参照）と同様に固定用突起５４およびスイッチユニット固定用ゴム部材５６が形成されている。
【００５２】
固定用突起５４は、スイッチ本体４２のスイッチユニット固定用爪４８が嵌合される。また、固定用ゴム部材５６は、図５に示すように、固定用突起５４と固定用爪４８とをゴムの弾性力で押し付け合うように配置する。このため、アダプタ２３２の固定用ゴム部材５６は、スイッチユニット３４の本体４２の底面４２ａとの間の摩擦力を利用して、使用中にスイッチユニット３４がアダプタ２３２に対して摺動することを規制する。
【００５３】
図１０（Ａ）および図１０（Ｂ）に示すように、固定台座５２には、本体２２２に固定するための固定用フック（医療機器着脱部）２６２ａ，２６２ｂが形成されている。固定用フック２６２ｂは１対形成されている。これら固定用フック２６２ａ，２６２ｂは、本体２２２の図示しない係合部に係合される。
【００５４】
次に、この実施の形態に係る超音波処置用スイッチ装置３０の作用について説明する。
【００５５】
スイッチユニット３４、フック用アダプタ２３２、フック型ハンドピース１０を組み合わせる。  
アダプタ２３２の固定用フック２６２ａ，２６２ｂを本体２２２に装着する。この場合、フック２６２ａ，２６２ｂを有する面に沿ってスライドさせながらアダプタ２３２を本体２２２に装着する。
【００５６】
そして、第１の実施の形態と同様に、スイッチユニット３４をアダプタ２３２に装着する。このとき、押しボタン４４ａ，４４ｂは押し易い位置に配置される。
【００５７】
以上説明したように、この実施の形態によれば以下の効果が得られる。
【００５８】
ハンドピース１０が擬ペンシル状に形成され、そのハンドル部１２にスイッチユニット３４がアダプタ２３２を介して装着されているので、スイッチユニット３４の押しボタン４４ａ，４４ｂの操作を容易に行なうことができる。
【００５９】
なお、上述した第１ないし第３の実施の形態では、超音波ハンドピース１０を用いることについて説明したが、ハンドスイッチを用いる他の医療機器に対しても適宜に適用可能である。
【００６０】
これまで、いくつかの実施の形態について図面を参照しながら具体的に説明したが、この発明は、上述した実施の形態に限定されるものではなく、その要旨を逸脱しない範囲で行なわれるすべての実施を含む。
【００６１】
上記説明によれば、下記の事項の発明が得られる。また、各項の組み合わせも可能である。
【００６２】
［付記］
（付記項１）
超音波振動を用いて凝固、切開、乳化などを行なう医療用超音波ハンドピースにおいて、
ハンドピース形状に樹脂弾性力を利用して適時装脱可能なスイッチユニットアダプタと、
前記スイッチユニットアダプタにすりわりとゴム弾性力を利用しつつ差し込むことで適時装脱可能な少なくとも１つ以上の押しボタンを持つスイッチユニットと
からなる超音波出力用ハンドスイッチ。
【００６３】
（付記項２）
前記スイッチユニットアダプタは、ピストル型ハンドピースには、薬指や小指が固定できる穴または溝を設けており、スイッチユニットアダプタ及びスイッチユニットを装着した状態のハンドピースにおいて、ハンドピースを把持した手の人指し指が自由に可動できる範囲内に押しボタンを設置することを特徴とする付記項１に記載のハンドスイッチ。
【図面の簡単な説明】
【００６４】
【図１】第１の実施の形態に係る超音波処置用スイッチ装置におけるスイッチユニットおよび固定ハンドル用アダプタを医療用超音波ハンドピースに装着した状態を示す概略的な側面図。
【図２】第１の実施の形態に係る超音波処置用スイッチ装置におけるスイッチユニットを示し、（Ａ）は概略的な側面図、（Ｂ）は底面側から観察した状態を示す概略的な斜視図。
【図３】第１の実施の形態に係る超音波処置用スイッチ装置におけるスイッチユニットに配設されたタクトスイッチを示す概略的な断面図。
【図４】第１の実施の形態に係る超音波処置用スイッチ装置における固定ハンドル用アダプタを示し、（Ａ）は概略的な側面図、（Ｂ）は斜め上方から観察した状態を示す概略的な斜視図。
【図５】第１の実施の形態に係る超音波処置用スイッチ装置におけるスイッチユニットを固定ハンドル用アダプタに装着する状態を斜め上方から観察した状態を示す概略的な斜視図。
【図６】第１の実施の形態に係る超音波処置用スイッチ装置におけるスイッチユニットの変形例を示し、（Ａ）は概略的な側面図、（Ｂ）は底面側から観察した状態を示す概略的な斜視図。
【図７】第２の実施の形態に係る超音波処置用スイッチ装置におけるスイッチユニットおよびインライン用アダプタを医療用超音波ハンドピースに装着した状態を示す概略的な側面図。
【図８】第２の実施の形態に係る超音波処置用スイッチ装置におけるインライン用アダプタを示し、（Ａ）は概略的な側面図、（Ｂ）は斜め上方から観察した状態を示す概略的な斜視図。
【図９】第３の実施の形態に係る超音波処置用スイッチ装置におけるスイッチユニットおよびフック用アダプタを医療用超音波ハンドピースに装着した状態を示す概略的な側面図。
【図１０】第３の実施の形態に係る超音波処置用スイッチ装置におけるフック用アダプタを示し、（Ａ）は概略的な側面図、（Ｂ）は斜め上方から観察した状態を示す概略的な斜視図。
【符号の説明】
【００６５】
１０…医療用超音波ハンドピース、１２…ハンドル部、１４…挿入部、１４ａ…開閉部、１６…超音波振動子、１６ａ…プローブ、２２…操作本体、２４…固定ハンドル、２４ａ…指掛部、２６…可動ハンドル、２６ａ…指掛部、３０…超音波処置用スイッチ装置、３２…固定ハンドル装着用アダプタ、３４…スイッチユニット、４２…スイッチ本体、４４ａ，４４ｂ…ボタン、４６…ケーブル、５２…スイッチユニット固定台座、６４…操作用指入部
【図１】
2006340839.tif 000003
【図２】
2006340839.tif 000004
【図３】
2006340839.tif 000005
【図４】
2006340839.tif 000006
【図５】
2006340839.tif 000007
【図６】
2006340839.tif 000008
【図７】
2006340839.tif 000009
【図８】
2006340839.tif 000010
【図９】
2006340839.tif 000011
【図１０】
2006340839.tif 000012